(57)【要約】    【課題】上下の鏡の角度調節が容易であり、しかも不使用時の静止安定性の高い合わせ鏡装置を提供する。    【解決手段】固定部（中フレーム１２）と、該固定部の上下各端にヒンジ（１５Ｕ・１５Ｌ）を介して連結された一対の可動部（上フレーム１３、下フレーム１４）とを、実質的に共通な垂直面を有する基台（１１）に取り付けてなる合わせ鏡装置（縦型三面鏡）を、固定部と一対の可動部との間の折曲角度を略同一に変化させるための同期連動機構（１６）と、一対の可動部を基台に個々に固定するための一対のロック手段（３０・３１）とを有し、一対のロック手段は、一方に加えた解除操作力を他方に伝達する力伝達機構（３７）を介して互いに連動連結されたものとする。【選択図】図３
2006068181.tif 000002
【特許請求の範囲】
【請求項１】
固定部と、該固定部の上下各端にヒンジを介して連結された一対の可動部とを、実質的に共通な垂直面を有する基台に取り付けてなる合わせ鏡装置であって、
前記固定部と前記一対の可動部との間の折曲角度を略同一に変化させるための同期連動機構と、前記一対の可動部を前記基台に個々に固定するための一対のロック手段とを有し、
前記一対のロック手段は、一方に加えた解除操作力を他方に伝達する力伝達機構を介して互いに連動連結されることを特徴とする合わせ鏡装置。
【請求項２】
前記固定部と前記可動部との間に、前記固定部と前記可動部との折曲方向と逆向きの力を常時作用させる弾発付勢手段を設けたことを特徴とする請求項１に記載の合わせ鏡装置。
【請求項３】
前記連動機構は、前記固定部に設けられたピニオンと、該ピニオンの中心軸を挟む両側に噛合する一対のラックとからなり、前記一対のラックと前記一対の可動部との一方同士と他方同士とが互いに連結されるものであることを特徴とする請求項１若しくは２に記載の合わせ鏡装置。
【発明の詳細な説明】
【技術分野】
【０００１】
本発明は、主に頭頂部を見るための合わせ鏡を簡便に行うことのできる合わせ鏡装置に関するものである。
【背景技術】
【０００２】
例えば、頭頂部の頭髪の手入れや毛染め、あるいは怪我の治療などを自分で行う場合は、合わせ鏡を用いることが一般的である。しかし、こうした作業を片手に鏡を持ちつつ行うのは厄介である。そこで３枚の平面鏡を互いに折曲できるように水平軸を持つヒンジで連結し、互いの鏡面の角度を適宜に調節した上で水平の台上に下鏡を置き、中央鏡と上鏡とで反射した頭頂部を下鏡に映すようにした縦型の三面鏡が、特許文献１に提案されている。
【特許文献１】特開平１１−５６５５４号公報
【発明の開示】
【発明が解決しようとする課題】
【０００３】
この特許文献１に記載された三面鏡は、互いの鏡面同士間の角度を自由に調節でき、持ち運びが自由である反面、上下の鏡の角度を個々に調節する作業が厄介である。特に、角度調節を楽に行えるようにするにはヒンジの回動抵抗が低い方が好ましいが、各鏡板を任意の角度で安定させるにはヒンジの回動抵抗がある程度必要である。つまり、操作性と使用時の安定性との両立は困難であった。
【０００４】
本発明は、このような従来技術の不都合を解消すべく案出されたものであり、その主な目的は、上下の鏡の角度調節が容易であり、しかも不使用時の静止安定性の高い合わせ鏡装置を提供することにある。
【課題を解決するための手段】
【０００５】
このような課題を解決するために、本発明の請求項１は、固定部（中フレーム１２）と、該固定部の上下各端にヒンジ（１５Ｕ・１５Ｌ）を介して連結された一対の可動部（上フレーム１３、下フレーム１４）とを、実質的に共通な垂直面を有する基台（１１）に取り付けてなる合わせ鏡装置（縦型三面鏡７）を、固定部と一対の可動部との間の折曲角度を略同一に変化させるための同期連動機構（１６）と、一対の可動部を基台に個々に固定するための一対のロック手段（３０・３１）とを有し、一対のロック手段は、一方に加えた解除操作力を他方に伝達する力伝達機構（３７）を介して互いに連動連結されたものとした。
【０００６】
特に、固定部と可動部との間に、固定部と可動部との折曲方向と逆向きの力を常時作用させる弾発付勢手段（捩りばね２９Ｕ・２９Ｌ）を設けると良い（請求項２）。また、前記連動機構として、固定部に設けられたピニオン（１７）と、該ピニオンの中心軸を挟む両側に噛合する一対のラック（２６・２７）とからなり、一対のラックと一対の可動部との一方同士と他方同士とが互いに連結されるものとすると良い（請求項３）。
【発明の効果】
【０００７】
このような本発明の請求項１の構成によれば、一対の可動部の傾動動作が同期すると共に、一対の可動部の垂直状態を保持するロック手段の作動が同期するので、操作性を高める上に大きな効果が得られる。特に請求項２の構成により、製造精度や組み付け精度に起因して各部に連動誤差が介入しても、一対の可動部のロック動作を確実化する上に効果的であり、また請求項３の構成によれば、一対の可動部の傾斜を大きくしようとする力と傾斜を少なくしようとする力のバランスにより、格別なストッパを要さずに任意の位置で静止させるフリーストップ機能が得られる。
【発明を実施するための最良の形態】
【０００８】
以下に添付の図面を参照して本発明の鏡装置について詳細に説明する。
【０００９】
図１並びに図２は、本発明が適用された洗面化粧台の全体斜視図である。この洗面化粧台１は、下方にロワキャビネット２を備えた洗面・洗髪ボウル３と、洗面・洗髪ボウル３の上方に設けられた鏡ユニット４と、側方に設けられたサイドキャビネット５とからなり、例えば脱衣室のコーナー部などに設置される。
【００１０】
サイドキャビネット５の上部は、図２に示すように、前方へ引き出すことができる抽斗式収納箱６として構成されており、この抽斗式収納箱６の前面に、本発明に係わる縦型三面鏡７が設けられている。この縦型三面鏡７は、床面に対して略垂直に配置された固定部としての中鏡８と、中鏡８の上端および下端にそれぞれヒンジを介して連結された可動部としての上鏡９および下鏡１０とから構成されている。中鏡８は、抽斗式収納箱６の前板と一体をなす基台１１に対してその右側縁がヒンジ結合されており、抽斗式収納箱６を引き出した上で中鏡８の左側縁を手前に引くと、図２に示したように、上鏡９および下鏡１０を伴って右側縁を軸として旋回動し、洗面化粧台１の側方にその鏡面を向けるようになっている。また上鏡９および下鏡１０は、例えば下鏡１０の下端をユーザーが手前に引いて傾動させると、上鏡９もその上端をユーザー側へ近づけるように傾動するようになっている。
【００１１】
次にこの縦型三面鏡７の内部構造について図３〜図８を参照して説明する。
【００１２】
各鏡は、それぞれ対応する中フレーム１２、上フレーム１３及び下フレーム１４に固定されており、以下、各フレームを基準にして説明する。固定部としての中フレーム１２の上下各端に、可動部としての上フレーム１３の下端および下フレーム１４の上端が、それぞれヒンジ１５Ｕ・１５Ｌを介して連結されている。そして上フレーム１３と下フレーム１４との傾動動作の連動機構１６は、中フレーム１２の中央部に枢着されたピニオン１７と、中フレーム１２のピニオン１７を挟む上下に固設された一対のスライドガイド１８Ｕ・１８Ｌをもって上下方向にスライド自在に支持された上スライド板１９および下スライド板２０と、上フレーム１３の下端および下フレーム１４の上端から上下各フレーム１３・１４の延在方向と同一方向へ延出された上アーム２１及び下アーム２２と、上、下各アーム２１・２２と上スライド板１９の上端および下スライド板２０の下端とをそれぞれ個別に連結する上連結リンク２３及び下連結リンク２４とからなっている。
【００１３】
下スライド板２０の上部には、ピニオン１７を受容する縦に長い長方形の窓２５が開けられると共に、窓２５の右側内縁に、ピニオン１７の右側部分に噛合する上向きラック２６が形成されている。そして上スライド板１９の左側の下端からは、ピニオン１７の左側部分に噛合する下向きラック２７が延出されている。また下スライド板２０の左側部には、下向きラック２７との干渉を避ける切欠部２８が形成されている。
【００１４】
上下各スライド板１９・２０と上下各連結リンク２３・２４との連結部には、上連結リンク２３の上部並びに下連結リンク２４の下部を手前側へ押し出す向きの回動付勢力を作用させる捩りばね２９Ｕ・２９Ｌがそれぞれ装着されている。
【００１５】
他方、図４並びに図５に示すように、上フレーム１３の上端並びに下フレーム１４の下端には、上下各フレーム１３・１４を基台１１に固定するためのロック機構３０・３１が設けられている。このロック機構３０・３１は、図６に示すように、基台１１の上下各端部に一体的に設けられたロック爪３２に係合するフック３３を備えたラッチ部材３４が、水平方向に延在する軸回りに回動可能に設けられている。これらのラッチ部材３４には、図４並びに図５に併せて示したように、上フレーム１３の上端並びに下フレーム１４の下端に枢着された操作ハンドル３５・３６が一体的に設けられている。このラッチ部材３４と一体をなす操作ハンドル３５・３６は、その回動中心軸に設けられた捩りばね３６Ｔにより、ロック爪３２にフック３３を係合させる向きに常時弾発付勢されている。なお、図６には下側ロック機構３１のみを示したが、上下各ロック機構３０・３１は基本的に同一である。
【００１６】
上下の各操作ハンドル３５・３６は、水平軸回りについての操作ハンドル３５・３６の回動運動を垂直方向の直線運動に変換すると共に、下側の操作ハンドルに加えた解除操作力を上側の操作ハンドルに伝達するための力伝達機構３７を介して相互に連動連結されている。この力伝達機構３７は、上下各フレーム１３・１４に設けられた複数のピン３８に対して上下方向長孔３９を介して所定範囲をスライド自在に係合した上変換リンク４０及び下変換リンク４１と、上変換リンク４０の下端とベルクランク４２を介して連動連結され、且つ上フレーム１３に設けられた複数のピン４３に対して上下方向長孔４４を介して所定範囲をスライド自在に係合した中間変換リンク４５と、下変換リンク４１の上端と中間変換リンク４５の下端との間を連結すべくアウタチューブ４６でガイドされたフレキシブルケーブル４７とからなっている。また上下各変換リンク４０・４１は、共に対応するフレーム１３・１４に設けられたばね受け４８Ｕ・４８Ｌとの間に縮設された圧縮コイルばね４９Ｕ・４９Ｌにより、上変換リンク４０は下向きに、下変換リンク４１は上向きにそれぞれ弾発付勢されている。
【００１７】
中フレーム１２におけるピニオン１７を挟む上下対称位置には、一対の長方形枠５０Ｕ・５０Ｌが固設されている。そして上下各スライド板１９・２０の適所には、この長方形枠５０Ｕ・５０Ｌを受容すべく上下に長い長方形孔５１Ｕ・５１Ｌが形成されている。これら長方形孔５１Ｕ・５１Ｌと長方形枠５０Ｕ・５０Ｌとは、長方形孔５１Ｕ・５１Ｌ内に長方形枠５０Ｕ・５０Ｌを受容した状態で上下各スライド板１９・２０が所定範囲を上下に移動し得るように、長方形孔５１Ｕ・５１Ｌの方がより長くされている。また各長方形孔５１Ｕ・５１Ｌにおける側部対向内面の上下方向中間位置よりもやや上方には、それぞれ凹部５２が形成されている。
【００１８】
下側の長方形枠５０Ｌ内には、弾発変形可能な長円形のクリック音発生部材５３が装着されている。このクリック音発生部材５３における側部外面の上下中間位置には、長方形枠５０Ｌの長手方向延在部の上下方向中間位置に形成された孔５４を突き抜ける突起５５が形成されている。なお、クリック音発生部材５３は、必ずしも下側の長方形枠５０Ｌ内に設けなければならないわけではなく、上側でも良いし、場合によっては両方に設けても良い。
【００１９】
次に本発明装置の作動要領について説明する。
【００２０】
通常は、上フレーム１３および下フレーム１４は、フック３３に対するロック爪３２の係合により、垂直な中フレーム１２と連続面となる垂直位置を保持している（図７の状態）。この状態で下フレーム１４の下端に設けられた操作ハンドル３６に指先をかけて手前側へ引くと、圧縮コイルばね４９Ｕ・４９Ｌ及び捩りばね３６Ｔによるロック状態保持力に抗して図６における反時計回りに操作ハンドル３６が回動し、これに伴ってフック３３とロック爪３２との係合を解除する向きにラッチ部材３４が回動する。この操作ハンドル３６の回動運動により、下変換リンク４１は下向きに直線移動する。この下変換リンク４１の下向き直線運動は、フレキシブルケーブル４７を介して中間変換リンク４５へと伝達され、中間変換リンク４５も下向きに直線移動する。すると中間変換リンク４５とベルクランク４２を介して連動連結された上変換リンク４０は、上向きに直線移動する。この上変換リンク４０の上向き移動により、下側のロック機構３１と上下対称位置に配された上側のロック機構３０が解除される。
【００２１】
上下の両ロック機構３０・３１が解除された状態で、その下端を前方へ振り出すように下フレーム１４を回動させると、図８に示すように、下フレーム１４のヒンジ１５Ｌの近傍に設けられた下アーム２２が反時計回りに回動し、下連結リンク２４を引き下ろす。これにより、下スライド板２０が下向きに移動する。この下スライド板２０の下向き移動により、下スライド板２０と一体の上向きラック２６が下向きに移動し、ピニオン１７が時計回りに回転し、ピニオン１７の左側に噛合した下向きラック２７が上向きに移動させられる。これにより、この下向きラック２７と一体をなす上スライド板１９が押し上げられ、上スライド板１９の上端に連結された上連結リンク２３が上向きに移動する。すると下フレーム１４と上下対称形に配された上フレーム１３はその上端を前向きに振り出すように回動する。
【００２２】
このようにして、下フレーム１４の下端を引き出す操作が上フレーム１３に伝達され、上フレーム１３は下フレーム１４に同期して下フレーム１４の中フレーム１２とのなす角度と同じ角度だけ前傾する。そして、図９に示すように、中フレーム１２上での下スライド板２０の下向き移動に伴い、図９（ａ）の状態から図９（ｂ）の状態へ向けて長方形孔５１Ｌと長方形枠５０Ｌとが相対移動し、下スライド板２０の移動限度位置近傍でクリック音発生部材５３の突起５５が長方形孔５１Ｌの側縁の凹部５２に落ち込む際に打音を発するので、これによって上下各フレーム１３・１４の傾動限度をユーザーが知ることができる。
【００２３】
この構成によると、上フレーム１３が前傾すると、重力によって上フレーム１３には中フレーム１２とのなす角度を減少させようとする（９０度に近づけようとする）力が作用する。一方、下フレーム１４は、常に垂直姿勢を保とうとする、つまり中フレーム１２とのなす感度を１８０度に戻そうとする力が作用する。この両者の対抗する力は、各ラック２６・２７から共通のピニオン１７に加わり、上フレーム１３の垂直分力と下フレーム１４の水平分力との釣り合いで静止するので、ヒンジ１５Ｕ・１５Ｌに格別な仕組みを設けなくても、任意の角度で静止させることができる。
【００２４】
上下各フレーム１３・１４を垂直位置に復帰させるには、下フレーム１４を垂直に戻せば、上フレーム１３も下フレーム１４に同期して垂直位置に戻り、垂直位置近傍では上下各スライド板１９・２０と上下各連結リンク２３・２４との連結部に設けられた捩りばね２９Ｕ・２９Ｌの弾発力で上フレーム１３と下フレーム１４とが共にその遊端を基台１１に近づける向きに付勢されているので、ヒンジ１５Ｕ・１５Ｌのがたやラック２６・２７とピニオン１７との間のバックラッシュ等に起因して上下両フレーム１３・１４間に連動誤差が生じても、上下のロック機構３０・３１が確実に噛み合うこととなる。
【００２５】
上フレーム１３と下フレーム１４とは、一側に下変換リンク４１の取付部を設け、他側に上変換リンク４０、ベルクランク４２、及び中間変換リンク４５の取付部を設けるものとすれば、上フレーム１３と下フレーム１４とを共通に構成し得るので、金型費用を削減でき、部品管理も簡略化できる。またクリック音発生部材５３の装着部も上下対称位置に設けておけば、中フレーム１２の上下方向の選択性を無くすことができるので、組み付け性を高めることができる。
【産業上の利用可能性】
【００２６】
本発明にかかる連動機構は、上記した縦型三面鏡に限らず、例えばウイング式に開閉する窓枠にも適用可能である。
【図面の簡単な説明】
【００２７】
【図１】本発明が適用される洗面化粧台の通常時の外観斜視図である。
【図２】図１に示した洗面化粧台の使用状態時の外観斜視図である。
【図３】本発明装置の中央部の正面図である。
【図４】本発明装置の上部の正面図である。
【図５】本発明装置の下部の正面図である。
【図６】本発明装置の下部の要部縦断面図である。
【図７】本発明装置のヒンジ部の通常位置での縦断面図である。
【図８】本発明装置のヒンジ部の回動限度位置での縦断面図である。
【図９】クリック音発生部の正面図であり、（ａ）は通常位置であり、（ｂ）回動限度近傍位置である。
【符号の説明】
【００２８】
１２・１３・１４  フレーム
１６  傾動動作の連動機構
１７  ピニオン
１８Ｕ・１８Ｌ  スライドガイド
１９・２０  スライド板
２１・２２  アーム
２３・２４  連結リンク
２６・２７  ラック
２９  捩りばね
３０・３１  ロック機構
３７  力伝達機構
４０・４１・４５  変換リンク
ベルクランク４２
４６  アウタチューブ
４７  フレキシブルケーブル
【図１】
2006068181.tif 000003
【図２】
2006068181.tif 000004
【図３】
2006068181.tif 000005
【図４】
2006068181.tif 000006
【図５】
2006068181.tif 000007
【図６】
2006068181.tif 000008
【図７】
2006068181.tif 000009
【図８】
2006068181.tif 000010
【図９】
2006068181.tif 000011